(57)【要約】      （修正有）【課題】携帯通信端末機器によるオンラインビデオ通話の際、自分の顔が通話相手のパソコンもしくは携帯通信端末機器等のスクリーンに、カメラ映りの良いアングルで映し出される環境と、カメラ機能によるセルフポートレートの際にも写りの良いアングルの確保とシャッター操作が容易にでき、また、オンラインビデオ通話時に必要なイヤホンが未使用時に収納される携帯通信端末機器ケースを提供する。【解決手段】持ち手が背面に備えられた携帯通信端末機器ケースである。また、オンライン通話時に必要なイヤホンを未使用時に、落下防止用のかえしの留め具のある突起物に巻きつけられるようにしている。【選択図】図４
0003194225.tif 000002
【実用新案登録請求の範囲】
【請求項１】
携帯通信端末機器本体を支持する支持具を、備えたことを特徴とする携帯通信端末機器ケース。
【請求項２】
携帯通信端末機器本体を支持する支持具を、回転または スライドまたは 折りたたみまたは 伸縮可能な構造としたことを特徴とする請求項１記載の携帯通信端末機器ケース。
【請求項３】
イヤホンの落下を防止するために端部に返し部を設けたことを、特徴とするイヤホン収納部を備えた請求項１又は請求項２に記載の携帯通信端末機器ケース。
【考案の詳細な説明】
【技術分野】
【０００１】
本考案は、携帯通信端末機器による  SkypeやLINE、FaceTimeなどのオンラインビデオ通話やセルフポートレートの際に、カメラ映り、写真写りをより良くするアングルを確保する効果を発揮する携帯通信端末機器ケースに関するものである。
【考案の概要】
【考案が解決しようとする課題】
【０００２】
これまで、携帯通信端末機器を使用したオンラインでのビデオ通話時は、携帯通信端末機器本体を直接手でつかむか、携帯通信端末機器用スタンドなどを利用し、台などの上に置くなどして、カメラを自分の方へ向け撮影をしていた。
しかし、このようにして撮影を行うと、カメラは下から上に向かってのアングルが捉えられ、実際の顔立ちよりも顎が大きく、鼻の穴が強調され映し出されたりしている。また、通話中に手元スクリーンに映し出された相手の顔を見ながら話すと、目線が落ち、伏し目がちになってしまい、話し相手に真っ直ぐな視線を向けられない。
【０００３】
更にオンラインビデオ通話に不可欠なイヤホンは、未使用時の収納に困る。
【課題を解決するための手段】
【０００４】
本考案は、持ち手付きの携帯通信端末機器ケースをビデオ通話やセルフポートレート時に使用することによって、かかる課題を解決するようにしたのである。
【考案の効果】
【０００５】
本考案は、携帯通信端末機器でのオンラインビデオ通話時に ケースに備った持ち手を握って自身を撮影することが容易にできる。携帯通信端末機器を顔正面に向け本体上部を、少し傾けて構えることにより、通話相手スクリーンに、自身の液晶画面に映し出された相手の顔を見ながら通話しても、目が伏し目状態にならず、鼻の穴が強調されずに、顎が比較的小さく映し出される効果を生ずる。
また、カメラによるセルフポートレートの際にも写りの良いアングルの確保とシャッターボタンの操作が容易にできる効果を生ずる。
【０００６】
本考案は、携帯通信端末機器ケースに、イヤホンの落下防止用のかえしの留め具が備わった巻き付け用突起物を付属させることによって、未使用時のイヤホンの収納を解決するようにしたのである。
【図面の簡単な説明】
【０００７】
【図１】本体正面図 １（回転式）
【図２】本体背面図 １（回転式）
【図３】持ち手回転途中
【図４】持ち手使用時 １（回転式）
【図５】オンラインビデオ通話使用時
【図６】本体背面図 ２（スライド式）
【図７】持ち手スライド途中
【図８】持ち手使用時 ２（スライド式）
【図９】本体背面図 ３（折りたたみ式）
【図１０】持ち手使用時 ３（折りたたみ式）
【図１１】本体背面図 ４（伸縮式）
【図１２】本体使用時 ４（伸縮式）
【図１３】未使用時イヤホン巻きつけ収納時 １
【図１４】未使用時イヤホン巻きつけ収納時 ２
【図１５】未使用時イヤホン巻きつけ収納時 ３
【考案を実施するための最良の形態】
【０００８】
本考案は、携帯通信端末機器による  SkypeやLINE、FaceTimeなどのオンラインビデオ通話やセルフポートレートの際に、カメラ映り、写真写りをより良くするアングルを確保する効果を発揮する携帯通信端末機器ケースに関するものである。
【実施例１】
【０００９】
以下 図1〜５を用いて 携帯通信端末機器ケース(図１)により実施する例を説明する。まず、オンラインビデオ通話前に、携帯通信端末機器背面(図２)に配置された持ち手１を、回転軸２を中心にして下方へ回転させ(図３)、持ち手１を図４の状態にする。該持ち手１を保持し、顔正面に構える(図５)。
携帯通信端末機器の写真撮影用カメラを起動させ、自分のカメラ映りを確認し、アングルを決めた後、SkypeなどのソフトウェアIP電話を起動させて使用する。または、セルフポートレート撮影を行う。       
【実施例２】
【００１０】
以下 図１,５,６,７,８を用いて 携帯通信端末機器ケース(図１)により実施する例を説明する。まず、オンラインビデオ通話前に、携帯通信端末機器背面(図６)に配置された持ち手１を、ガイド溝４に添って下方へスライドさせ(図７)、持ち手１を図８の状態にする。該持ち手１を保持し、顔正面に構える(図５)。
携帯通信端末機器の写真撮影用カメラを起動させ、自分のカメラ映りを確認し、アングルを決めた後、SkypeなどのソフトウェアIP電話を起動させて使用する。または、セルフポートレート撮影を行う。
【実施例３】
【００１１】
以下 図１,５,９,１０を用いて 携帯通信端末機器ケースに(図１)より実施する例を説明する。まず、オンラインビデオ通話前に携帯通信端末機器背面(図９)に配置された持ち手１を開き下方へ伸ばし、持ち手１を図１０の状態にする。該持ち手１を保持し、顔正面に構える(図５)。
携帯通信端末機器の写真撮影用カメラを起動させ、自分のカメラ映りを確認し、アングルを決めた後、SkypeなどのソフトウェアIP電話を起動させて使用する。または、セルフポートレート撮影を行う。
【実施例４】
【００１２】
以下 図１,５,１１,１２を用いて携帯通信端末機器ケース(図１)により実施する例を説明する。まず、オンラインビデオ通話前に携帯通信端末機器背面(図１１)に配置された持ち手１を引き出して伸ばし、持ち手１を図１２の状態にする。該持ち手１を保持し、顔正面に構える(図５)。
携帯通信端末機器の写真撮影用カメラを起動させ、自分のカメラ映りを確認し、アングルを決めた後、SkypeなどのソフトウェアIP電話を起動させて使用する。または、セルフポートレート撮影を行う。
【実施例５】
【００１３】
図１３は 実施例１及び２及び３及び４において、携帯通信端末機器ケースに配置された、落下防止のかえしの留め具が備えられた突起物３に、未使用時のイヤホンを巻きつけて使用した例である。このイヤホン収納部として、図１４や図15に示すように落下防止のかえしを備えた留め具を用いても良い。
【産業上の利用可能性】
【００１４】
本考案は、携帯通信端末機器によるオンラインビデオ通話時やカメラによるセルフポートレートの際、ケース背面に備えられた持ち手を下方へ伸ばし、カメラ映りの良いアングルを提供できる。
また、未使用時のイヤホンを巻きつける落下防止のかえしの留め具が備えられた突起物を提供できる。
更に、携帯通信端末機器ケースに様々なデザインを施して携帯通信端末機器が普及している国々の携帯通信端末機器ユーザーに広く提供できる。       
【符号の説明】
【００１５】
１      持ち手
２      持ち手回転軸
３      イヤホン巻きつけ用突起物 １
４      ガイド溝
５      イヤホン巻きつけ用突起物 ２
６      イヤホン巻きつけ用突起物 ３
【図１】
0003194225.tif 000003
【図２】
0003194225.tif 000004
【図３】
0003194225.tif 000005
【図４】
0003194225.tif 000006
【図５】
0003194225.tif 000007
【図６】
0003194225.tif 000008
【図７】
0003194225.tif 000009
【図８】
0003194225.tif 000010
【図９】
0003194225.tif 000011
【図１０】
0003194225.tif 000012
【図１１】
0003194225.tif 000013
【図１２】
0003194225.tif 000014
【図１３】
0003194225.tif 000015
【図１４】
0003194225.tif 000016
【図１５】
0003194225.tif 000017
【手続補正書】
【提出日】平成26年9月10日(2014.9.10)
【手続補正１】
【補正対象書類名】明細書
【補正対象項目名】全文
【補正方法】変更
【補正の内容】
【考案の詳細な説明】
【技術分野】
【０００１】
本考案は、携帯通信端末機器による  Skype(登録商標)やLINE(登録商標)、FaceTime(登録商標)などのオンラインビデオ通話やセルフポートレートの際に、カメラ映り、写真写りをより良くするアングルを確保する効果を発揮する 携帯通信端末機器ケースに関するものである。
【考案の概要】
【考案が解決しようとする課題】
【０００２】
これまで、携帯通信端末機器を使用したオンラインでのビデオ通話時は、携帯通信端末機器本体を直接手でつかむか、携帯通信端末機器用スタンドなどを利用し、台などの上に置くなどして、カメラを自分の方へ向け撮影をしていた。
しかし、このようにして撮影を行うと、カメラは下から上に向かってのアングルを捉え、実際の顔立ちよりも顎が大きく、鼻の穴が強調され映し出される。また、通話中に手元スクリーンに映し出された相手の顔を見ながら話すと、目線が落ち、伏し目がちになってしまい、話し相手に真っ直ぐな視線を向けられない。
【０００３】
更にオンラインビデオ通話に不可欠なイヤホンは、未使用時の収納に困る。
【課題を解決するための手段】
【０００４】
本考案は、持ち手付きの携帯通信端末機器ケースをビデオ通話やセルフポートレート時に使用することによって、かかる課題を解決するようにしたのである。
【考案の効果】
【０００５】
本考案は、携帯通信端末機器でのオンラインビデオ通話時に ケースに備った持ち手を握って自身を撮影することが容易にできる。携帯通信端末機器を顔正面に向け本体上部を、少し傾けて構えることにより、通話相手スクリーンに、自身の液晶画面に映し出された相手の顔を見ながら通話しても、目が伏し目状態にならず、鼻の穴が強調されずに、顎が比較的小さく映し出される効果を生ずる。
また、カメラによるセルフポートレートの際にも写りの良いアングルの確保とシャッターボタンの操作が容易にできる効果を生ずる。
【０００６】
本考案は、携帯通信端末機器ケースに、イヤホンの落下防止用のかえしの留め具が備わった巻き付け用突起物を付属させることによって、未使用時のイヤホンの収納を解決するようにしたのである。
【図面の簡単な説明】
【０００７】
【図１】本体正面図 １（回転式）
【図２】本体背面図 １（回転式）
【図３】持ち手回転途中
【図４】持ち手使用時 １（回転式）
【図５】オンラインビデオ通話使用時
【図６】本体背面図 ２（スライド式）
【図７】持ち手スライド途中
【図８】持ち手使用時 ２（スライド式）
【図９】本体背面図 ３（折りたたみ式）
【図１０】持ち手使用時 ３（折りたたみ式）
【図１１】本体背面図 ４（伸縮式）
【図１２】本体使用時 ４（伸縮式）
【図１３】未使用時イヤホン巻きつけ収納時 １
【図１４】未使用時イヤホン巻きつけ収納時 ２
【図１５】未使用時イヤホン巻きつけ収納時 ３
【考案を実施するための最良の形態】
【０００８】
本考案は、携帯通信端末機器による  Skype(登録商標)やLINE（登録商標）、FaceTime(登録商標)などのオンラインビデオ通話やセルフポートレートの際に、カメラ映り、写真写りをより良くするアングルを確保する効果を発揮する 携帯通信端末機器ケースに関するものである。
【実施例１】
【０００９】
以下 図1〜５を用いて 携帯通信端末機器ケース(図１)により実施する例を説明する。まず、オンラインビデオ通話前に、携帯通信端末機器ケース背面(図２)に配置された持ち手１を、回転軸２を中心にして 下方へ回転させ(図３)、持ち手１を図４の状態にする。該持ち手１を保持し、顔正面に構える(図５)。
携帯通信端末機器の写真撮影用カメラを起動させ、自分のカメラ映りを確認し、アングルを決めた後、Skype(登録商標)などのソフトウェアIP電話を起動させて使用する。または、セルフポートレート撮影を行う。
【実施例２】
【００１０】
以下 図１、５、6、7、８を用いて 携帯通信端末機器ケース(図１)により実施する例を説明する。まず、オンラインビデオ通話前に、携帯通信端末機器ケース背面(図６)に配置された持ち手１を、ガイド溝４に添って下方へスライドさせ(図７)、持ち手１を図８の状態にする。該持ち手１を保持し、顔正面に構える(図５)。
携帯通信端末機器の写真撮影用カメラを起動させ、自分のカメラ映りを確認し、アングルを決めた後、Skype(登録商標)などのソフトウェアIP電話を起動させて使用する。または、セルフポートレート撮影を行う。
【実施例３】
【００１１】
以下 図１、５、９、１０を用いて 携帯通信端末機器ケースに(図１)より実施する例を説明する。まず、オンラインビデオ通話前に携帯通信端末機器ケース背面(図９)に配置された持ち手１を開き下方へ伸ばし、持ち手１を図１０の状態にする。該持ち手１を保持し、顔正面に構える(図５)。
携帯通信端末機器の写真撮影用カメラを起動させ、自分のカメラ映りを確認し、アングルを決めた後、Skype(登録商標)などのソフトウェアIP電話を起動させて使用する。または、セルフポートレート撮影を行う。
【実施例４】
【００１２】
以下 図１、５、１１、１２を用いて携帯通信端末機器ケース(図１)により実施する例を説明する。まず、オンラインビデオ通話前に携帯通信端末機器ケース背面(図１１)に配置された持ち手１を引き出して伸ばし、持ち手１を図１２の状態にする。該持ち手１を保持し、顔正面に構える(図５)。
携帯通信端末機器の写真撮影用カメラを起動させ、自分のカメラ映りを確認し、アングルを決めた後、Skype(登録商標)などのソフトウェアIP電話を起動させて使用する。または、セルフポートレート撮影を行う。
【実施例５】
【００１３】
図１３は 実施例１及び２及び３及び４において、携帯通信端末機器ケースに配置された、落下防止のかえしの留め具が備えられた突起物３に、未使用時のイヤホンを巻きつけて使用した例である。このイヤホン収納部として、図１４や図15に示すように落下防止のかえしを備えた留め具を用いても良い。
【産業上の利用可能性】
【００１４】
本考案は、携帯通信端末機器によるオンラインビデオ通話時やカメラによるセルフポートレートの際、ケース背面に備えられた持ち手を下方へ伸ばし、カメラ映りの良いアングルを提供できる。
また、未使用時のイヤホンを巻きつける落下防止のかえしの留め具が備えられた突起物を提供できる。
更に、携帯通信端末機器ケースに様々なデザインを施して携帯通信端末機器が普及している国々の携帯通信端末機器ユーザーに広く提供できる。
【符号の説明】
【００１５】
１      持ち手
２      持ち手回転軸
３      イヤホン巻きつけ用突起物 １
４      ガイド溝
５      イヤホン巻きつけ用突起物 ２
６      イヤホン巻きつけ用突起物 ３
【手続補正２】
【補正対象書類名】実用新案登録請求の範囲
【補正対象項目名】全文
【補正方法】変更
【補正の内容】
【実用新案登録請求の範囲】
【請求項１】
携帯通信端末機器本体を収納する携帯通信端末機器ケースにおいて、該ケースの裏面に支持具を設けた形状を有する携帯通信端末機器ケース。
【請求項２】
携帯通信端末機器ケース裏面の支持具を、回転または スライドまたは 折りたたみまたは 伸縮可能な構造としたことを特徴とする請求項１記載の携帯通信端末機器ケース。
【請求項３】
イヤホンの落下を防止するために端部に返し部を設けたことを、特徴とするイヤホン収納部を備えた請求項１から２に記載の携帯通信端末機器ケース。